(57)【要約】【課題】製作手数を低減しつつ撓み剛性を維持した薄い棚板を提供する。【解決手段】載置部となる天板部１２と、該天板部の前後縁を折り曲げて天板部との間に空間を設ける断面コ字状等の折曲部１４と、天板部の裏面から所定寸法離れて各折曲部から延伸する底板部１６を、該各折曲部から他方の折曲部の方に所定量近づいた位置において前記天板部の裏面に近接させた第１層補強部１８とを１枚の板金素材から構成し、前記第１層補強部には、前記１枚の板金素材を折り返すか或いは他の板金素材によって、他層の補強部２０が近接又は離隔して複数層の補強部２２を構成する。【選択図】　　　　図２
2004081253.tif 000002
【特許請求の範囲】
【請求項１】
載置部となる天板部と、
該天板部の前後縁を折り曲げて天板部との間に空間を設ける断面コ字状等の折曲部と、
天板部の裏面から所定寸法離れて各折曲部から延伸する底板部を、該各折曲部から他方の折曲部の方に所定量近づいた位置において前記天板部の裏面に近接させ、再び前記底板部の高さ位置程度にまで天板部の裏面から離隔させた補強部と、
前記天板部の左右端部を前記補強部の両端が略覆われる深さに折り曲げた左右端折曲部と
を１枚の板金素材から構成したことを特徴とする板金製棚板。
【請求項２】
載置部となる天板部と、
該天板部の前後縁を折り曲げて天板部との間に空間を設ける断面コ字状等の折曲部と、
天板部の裏面から所定寸法離れて各折曲部から延伸する底板部を、該各折曲部から他方の折曲部の方に所定量近づいた位置において前記天板部の裏面に近接させた第１層補強部と
を１枚の板金素材から構成し、
前記第１層補強部には、前記１枚の板金素材を折り返すか或いは他の板金素材によって、他層の補強部が近接又は離隔して複数層の補強部を構成している
ことを特徴とする板金製棚板。
【請求項３】
前記天板部の左右端部を前記複数層補強部の両端が略覆われる深さに折り曲げた左右端折曲部を天板部の板金素材で形成してなる請求項２記載の板金製棚板。
【請求項４】
前記他層の補強部は第１層補強部と天板部との間に位置し、その先部は折曲部にまで至り、該折曲部も複数層となっている請求項２又は３記載の板金製棚板。
【請求項５】
載置部となる天板部と、
該天板部の前後縁を折り曲げて天板部との間に空間を設ける断面コ字状等の折曲部と、
天板部の裏面から所定寸法離れて各折曲部から延伸する底板部と、
該底板部と天板部との間に設けられ、他の板金素材により、底板部の天板部側の面と天板部の裏面とに近接した形状の補強部と
を設けていることを特徴とする板金製棚板。
【請求項６】
前記天板部の左右端部を前記補強部の両端が略覆われる深さに折り曲げた左右端折曲部を天板部の板金素材で形成してなる請求項５記載の板金製棚板。
【請求項７】
前記各補強部の前後方向の他方の補強部寄りの縁部に、ブックサポートが係合可能な係合部を一体に設けてなる請求項１〜６の何れか１記載の板金製棚。
【請求項８】
前記天板部の前後縁部の少なくとも一方に、上方に突出した凸条を該天板部と一体に設けてなる請求項１〜７の何れか１記載の板金製棚板。
【発明の詳細な説明】
【０００１】
【発明の属する技術分野】
本発明は本棚等の保管庫に使用される板金製の棚板に関する。
【０００２】
【従来の技術】
本出願人は、実開昭５２−１２０号公報において、棚板天板部の前後縁部と左右側縁部（左右端部）に、天板部から連続した折曲部を形成することによって丈夫な薄箱型の棚板を、製作手数を低減して構成することを開示している。この公報に開示の棚板でも、その棚板の（箱の）厚さは１５〜２０ｍｍ程度である。これは、棚板の撓み剛性は、ＪＩＳ　Ｓ　１０３３．１１．２．１．２に基づく撓み試験の制約をクリヤーさせることが一般的であり、これをクリヤーするには、従来の技術範囲では上記の如き厚さが必要であった。
【０００３】
【発明が解決しようとする課題】
然しながら、近年、保管庫等の収容効率の向上、即ち、保管庫等のデッドスペースの改善やコンパクトさが重視されてきている。そうした中で、本出願人は撓み剛性を維持しつつ棚板厚さを更に薄くするために誠意努力してきた。特に１０ｍｍ程度以下という極薄の厚さを実現しようとしてきた。
本発明は、製作手数を低減しつつ撓み剛性を維持した薄い棚板の提供を目的とする。
また、一方では、厚さは厚くても良いが、従来よりも重い物を載置できる更に丈夫な棚板の提供が望まれている。
【０００４】
【課題を解決するための手段】
上記目的に鑑みて請求項１では、載置部となる天板部と、該天板部の前後縁を折り曲げて天板部との間に空間を設ける断面コ字状等の折曲部と、天板部の裏面から所定寸法離れて各折曲部から延伸する底板部を、該各折曲部から他方の折曲部の方に所定量近づいた位置において前記天板部の裏面に近接させ、再び前記底板部の高さ位置程度にまで天板部の裏面から離隔させた補強部と、前記天板部の左右端部を前記補強部の両端が略覆われる深さに折り曲げた左右端折曲部とを１枚の板金素材から構成したことを特徴とする板金製棚板を提供する。
本願では、棚板を保管庫等に使用した場合に、使用者から見た奥行き方向を前後、左右を左右、上下を上下（厚さ）と表現する。
本願での前後の折曲部は、コ字状に限らず、Ｕ字を横にした形状や、マの字状や、くの字状等、折り曲げて天板部との間に空間を設けて厚みを出するようにした種々の形状を含む。天板部の裏面に近接させ、再び前記底板部の高さ位置程度にまで天板部の裏面から離隔させた補強部とは、例えば、天板部の裏面に沿った底部を有する断面コ字状や、裏面に殆ど沿う部分の無い半円形状や、素材が天板部裏面で折り返されて単に素材の重合したもの等を言う。
【０００５】
折曲部と、該折曲部から他方の折曲部の方に所定量近づいた位置の補強部とによって、棚板の左右方向ラインの撓みに対する剛性が補強される。前後縁の折曲部のみでは不足する撓み剛性を、より中央側に位置する補強部の存在によって補うことができる。また、左右端折曲部によって前後方向ラインの撓みに対する剛性が補強され、棚板の全方位的な撓み剛性が向上する。こうして、棚板厚さをより薄く構成しても従来と同程度の撓み剛性が維持できる。また、折曲部と補強部と左右端折曲部とを、天板部に連続した１枚板金で構成し、製作手数が低減できる。
【０００６】
請求項２では、載置部となる天板部と、該天板部の前後縁を折り曲げて天板部との間に空間を設ける断面コ字状等の折曲部と、天板部の裏面から所定寸法離れて各折曲部から延伸する底板部を、該各折曲部から他方の折曲部の方に所定量近づいた位置において前記天板部の裏面に近接させた第１層補強部とを１枚の板金素材から構成し、前記第１層補強部には、前記１枚の板金素材を折り返すか或いは他の板金素材によって、他層の補強部が近接又は離隔して複数層の補強部を構成していることを特徴とする板金製棚板を提供する。
【０００７】
折曲部と、該折曲部より前後方向の中央側に位置する補強部とによって、棚板の左右方向ラインの撓みに対する剛性が補強される。しかも、補強部は板金が複数層になっているため、棚板の厚さが薄くても撓み剛性を高く維持できる。天板部と折曲部と第１層補強部とは１枚の板金製であるため、製作手数を低減できる。他層の補強部もこの１枚の板金素材を折り返して構成すれば、更に製作手数が低減できる。
【０００８】
請求項３では、前記天板部の左右端部を前記複数層補強部の両端が略覆われる深さに折り曲げた左右端折曲部を天板部の板金素材で形成してなる請求項２記載の板金製棚板を提供する。
左右端折曲部によって、棚板の前後方向ラインの撓みに対する剛性が補強され、棚板の全方位的な撓み剛性が向上するので、棚板をより薄く構成できる。
【０００９】
請求項４では、前記他層の補強部は第１層補強部と天板部との間に位置し、その先部は折曲部にまで至り、該折曲部も複数層となっている請求項２又は３記載の板金製棚板を提供する。
折曲部も複数層となっているため棚板の撓み剛性が更に向上し、更に薄く構成できる。この場合、他層の補強部は第１層補強部と天板部との間に位置しているため、外観は天板部からの１枚の板金そのままであり、外観には悪影響を与えない。
【００１０】
請求項５では、載置部となる天板部と、該天板部の前後縁を折り曲げて天板部との間に空間を設ける断面コ字状等の折曲部と、天板部の裏面から所定寸法離れて各折曲部から延伸する底板部と、該底板部と天板部との間に設けられ、他の板金素材により、底板部の天板部側の面と天板部の裏面とに近接した形状の補強部とを設けていることを特徴とする板金製棚板を提供する。
【００１１】
別部材ではあるが、補強部が設けてあるため、折曲部と合わせて棚板の左右方向ラインの撓みに対する剛性が強化される。更には、この補強部の下側に天板部と折曲部とから延伸連続した底板部が重ね合わされているため、折曲部と補強部とが互いに連携補強し合って、撓み剛性がより向上し、棚板をより薄く構成できる。
【００１２】
請求項６では、前記天板部の左右端部を前記補強部の両端が略覆われる深さに折り曲げた左右端折曲部を天板部の板金素材で形成してなる請求項５記載の板金製棚板を提供する。
左右端折曲部によって、棚板の前後方向ラインの撓みに対する剛性が補強され、棚板の全方位的な撓み剛性が向上するので、棚板をより薄く構成できる。
【００１３】
請求項７では、前記各補強部の前後方向の他方の補強部寄りの縁部に、ブックサポートが係合可能な係合部を一体に設けてなる請求項１〜６の何れか１記載の板金製棚板を提供する。
補強部寄りの縁部とは、必ずしも各補強部の一部でなくても良く、補強部からの延伸部でもよい。
ブックサポートが係合可能な係合部を一体に設けているため、別部材を要せず、ブックサポートを取り付ける係合部を簡便に設けることができる。
【００１４】
請求項８では、前記天板部の前後縁部の少なくとも一方に、上方に突出した凸条を該天板部と一体に設けてなる請求項１〜７の何れか１記載の板金製棚板を提供する。
天板部の前後縁部の少なくとも一方に、上方に突出した凸条を該天板部と一体に設ければ、棚板に載せる本等の収納物が手前側や向こう側に落下することを防止できる。また、この凸条を基準にして整列させて収納できる。
【００１５】
【発明の実施の形態】
以下、本発明を添付図面に示す実施形態例に基づき、更に詳細に説明する。
図１は請求項２（とその下位請求項）に係る発明の棚板１０の部分斜視図であり、図２はその矢視線Ｂ−Ｂによる前側部のみの拡大断面図である。図１の右端ラインは破断を示す線である。使用板金素材はステンレスも含む鋼材であり、この例では圧延鋼板材であり、厚さが０．６ｍｍである。載置部となる天板部１２の前後縁を折り曲げて天板部との間に空間を設ける断面コ字状の折曲部１４を設けている。天板部の裏面から所定寸法離れて前記折曲部から他側の折曲部の方（後方）に延伸した底板部１６の先部を折り曲げて、天板部の裏面に近接させた第１層補強部１８とし、更にその先部を小さく曲げて図示しないブックサポートの係合部３０を形成している。
【００１６】
以上を形成した１枚の板金素材をそのまま使用して図示の如く折り返し、前記第１層補強部１８と天板との間には第２層補強部２０を設けて複数層の補強部２２を構成している。更にこの板金素材を延伸させて前記底板部１６と天板部との間であって底板部１６に重合するように第２層の底板部２６を設けている。また更に、この板金素材を延伸させて前記折曲部１４の内側に第２層の折曲部２４を重合させている。
【００１７】
上記天板部１２の下側に位置する底板部や補強部等は、天板部の左右方向幅と概ね同じ幅で形成されている。以下の他の形態例でも同様である。こうして、折曲部と複数層の補強部とが底板部を介して一体に形成されているため、特に、左右方向ラインに沿った撓みに対する剛性が向上する。また、補強部と折曲部とが複数層であると共に、底板部も複数層であるため、撓み剛性が向上する。その結果、棚板１０の厚さＴを薄く構成できる。具体的には１０ｍｍ以下にできる。
【００１８】
この形態例では図１に示すように、天板部の左端部を補強部２２の左端が略覆われる深さ、即ち、深さＴ程度に折り曲げた左端折曲部５０を天板部１２の板金素材で一体に形成している。これにより、棚板の前後方向に沿ったラインの撓みに対する剛性が向上する。右側端部も同様である。なお、この例では、左端折曲部５０の下端部を更に右方に向かって折り曲げた受け部５２を形成して、前記底板部１６に重合させている。従って、更に棚板１０が全方位的に剛性が向上する。請求項２に係る発明では、上記のように補強部を複数層に構成した場合には左右端折曲部５０（と受け部５２）は無くてもよい。
【００１９】
上記補強部２２と天板部や、底板部１６と第２層の底板部２６等の重合部では、適宜位置をスポット溶接によって固定することが好ましい。以下の他の形態例でも同様である。また、図示はしていないが、天板部１２の前縁部と後縁部の少なくとも一方に、上方に突出した凸条を該天板部と一体に設ければ、本等の載置物の落下防止や載置物の整列に効果的である。以下の他の形態例においても同様である。
【００２０】
図３は、他の形態例の棚板の図２に対応する断面図である。主に図２と異なる事項につき説明する。ブックサポートの係合部３０を形成していない他、第２層の底板部２６の途中に、天板部１２の裏面にまで立ち上げたリブ状補強部２７を形成しており、その分剛性が向上して棚板の薄肉化に貢献できる。
【００２１】
図４は、更に他の形態例棚板の図２や図３に対応する断面図である。主に図３と異なる事項につき説明する。図３では第２層の底板部２６の途中にリブ状補強部２７を形成していたが、図４の例では、断面コ字状のチャネル形状の補強部２０’が形成されている。このコ字状補強部２０’は底板部１６からは離隔しつつチャネル底部は天板部の裏面に近接している。こうした複数層の補強部２２や他形態の複数層の補強部２２”の存在により撓み剛性が向上すること等は図３の場合と同様である。
【００２２】
図５は、更に他の形態例棚板の図２や図３や図４に対応する断面図である。主に図４と異なる事項につき説明する。コ字状補強部２０’に対して、底板部１６の対応部を同様なコの字状補強部１８’として重合させ、複数層の補強部２２’を構成している。こうした複数層の補強部２２，２２’の存在により撓み剛性が向上すること等は図４の場合と同様であるが、この例では、折曲部１４には第２層の底板部２６を延伸した第２層の折曲部を設けていない。
【００２３】
以上の図２〜図５の折り返し部は、天板とは別体の板金素材によって構成してもよい。
図６は、請求項１（とその下位請求項）に係る発明に対応しており、天板１２の前縁を折り曲げたコ字状折曲部１４と、この折曲部から延伸する底板部１６と、この底板部の先部を天板１２に近接させ、天板の裏面に沿わせ、再び底板部の高さにまで戻してコ字状のチャネル形状の補強部２８を設け、再びその先部を天板１２に近接させ、天板の裏面に沿わせた部位２９を設け、その先部を小さく曲げて図示しないブックサポートの係合部３０を形成している。即ち、この係合部３０は補強部２８の延伸部（２９等）に一体化されている。
【００２４】
この形態の発明では、図１に示す左右端折曲部５０は必須である。折曲部１４と補強部２８とによる左右方向に沿った撓みに対する剛性と、左右端折曲部５０による前後方向に沿った撓みに対する剛性とが向上し、棚板１０の全方位的剛性が向上する。従って、棚板の厚さを１０ｍｍ以下に形成できる。
【００２５】
図７は、請求項５（とその下位請求項）に係る発明に対応した形態例であり、天板部１２と、該天板部の前縁を折り曲げて天板部との間に空間を設ける断面コ字状の折曲部１４と、天板部の裏面から所定寸法離れて各折曲部から延伸する底板部１６と、該底板部と天板部との間に設けられ、他の板金素材により、底板部の天板部側の上面と天板部の裏面とに近接した断面コ字状のチャネル形補強部３２を設けている。補強部の底部は天板部裏面に近接しており、コ字の開放側縁部は底板部１６に沿うように折り曲げられて底板部１６と重合する第２層の底板部２６を形成している。２つの板金素材は適宜位置にスポット溶接がなされ、一体化されている。
【００２６】
この場合も、折曲部１４と補強部３２とが底板部１６によって結合一体化されているため、撓み剛性が向上する。また、底板部が重合しており、更に撓み剛性が向上し、その分棚板厚さを薄く構成でき、１０ｍｍ以下にできる。この形態例では折曲部１４には第２層の底板部２６を延伸させて重合させていないが、そうすることもできる。また、ブックサポートの係合部３２を形成することもできる。
【００２７】
以上では、本発明の構造を適用すると、主に棚板が薄く構成できることを述べているが、逆に、棚板を（例えば、２０ｍｍという）厚い構造のままとしても、その撓み剛性を向上させて、従来よりも重い物を載置しても、従来よりも撓み量が少なかったり、変わらなかったりする丈夫な棚板に構成することもできる。
以上の各形態例において述べた各事項は、特に矛盾の無い限り、互いに他の形態例にも適用することができる。
【００２８】
【発明の効果】
以上の説明から明らかなように本発明によれば、製作手数を低減しつつ撓み剛性を維持した薄い棚板の提供が可能となる。
【図面の簡単な説明】
【図１】図１は本発明に係る棚板の部分斜視図である。
【図２】図２は図１の矢視線Ｂ−Ｂによる部分断面図である。
【図３】図３は図２に代わる形態の断面図である。
【図４】図４は図２に代わる形態の断面図である。
【図５】図５は図２に代わる形態の断面図である。
【図６】図６は図２に代わる形態の断面図である。
【図７】図７は図２に代わる形態の断面図である。
【符号の説明】
１０　　　　　　　　　　棚板
１２　　　　　　　　　　天板部
１４　　　　　　　　　　折曲部
１６　　　　　　　　　　底板部
１８　　　　　　　　　　第１層補強部
２０　　　　　　　　　　第２層補強部
２０’　　　　　　　　　補強部
２２，２２’　　　　　　複数層の補強部
２８　　　　　　　　　　補強部
３２　　　　　　　　　　補強部
５０　　　　　　　　　　左右端折曲部
【図１】
2004081253.tif 000003
【図２】
2004081253.tif 000004
【図３】
2004081253.tif 000005
【図４】
2004081253.tif 000006
【図５】
2004081253.tif 000007
【図６】
2004081253.tif 000008
【図７】
2004081253.tif 000009